(57)【要約】【課題】  利用者がＰｏＣ通話の参加中に新たな付加サービスを利用することが可能なＰｏＣ通信システムを提供する。【解決手段】  ＰｏＣサーバ１はＰｏＣ端末２−１〜２−３からのアクセスによって、他のＰｏＣ端末を呼び出し、ＰｏＣ通信を開始させる。また、ＰｏＣサーバ１は、ＰｏＣ端末からのボタン操作によるＤＴＭＦ信号を受信し、それぞれに対応した付加サービスを起動する。ＰｏＣ端末２−１から開始されたＰｏＣ端末２−１〜２−３のＰｏＣ通信中に、ＰｏＣ端末２−１からボタン操作によってＰｏＣ端末２−２を強制的にＰｏＣ通信から退室させるＤＴＭＦ信号を受信すると、ＰｏＣサーバ１はＰｏＣ端末２−２だけをＰｏＣ通信から退室させる。この時、ＰｏＣ端末２−１とＰｏＣ端末２−３とのＰｏＣ通信は継続したままである。【選択図】      図１
2008017071.tif 000002
【特許請求の範囲】
【請求項１】
ＰｏＣ（Ｐｕｓｈ  ｔｏ  Ｔａｌｋ  ｏｖｅｒ  Ｃｅｌｌｕｌｅｒ）端末からＰｏＣサーバにアクセスし、他のＰｏＣ端末を呼び出してＰｏＣ通信を開始するＰｏＣ通信システムであって、
前記ＰｏＣ端末は、自端末のボタン操作に応じたＤＴＭＦ（Ｄｉａｌ  Ｔｏｎｅ  Ｍｕｌｔｉ  Ｆｒｅｑｕｅｎｃｙ）信号を送信する手段を有し、
前記ＰｏＣサーバは、前記ＤＴＭＦ信号を受信した時に当該ＤＴＭＦ信号の情報を基に予め蓄積する付加サービスを動作させる手段と、前記付加サービスを動作させた結果を前記ＰｏＣ端末に送信する手段とを有することを特徴とするＰｏＣ通信システム。
【請求項２】
前記ＰｏＣサーバは、少なくともメニュー選択の情報を含む前記付加サービスに必要な情報及び制御信号を前記ＰｏＣ端末に送信することを特徴とする請求項１記載のＰｏＣ通信システム。
【請求項３】
前記ＰｏＣ端末は、前記必要な情報及び制御信号を受信した時にその受信情報を画面に表示することを特徴とする請求項２記載のＰｏＣ通信システム。
【請求項４】
前記付加サービスは、利用者が前記ＰｏＣ通話の参加中に特定の参加者を退室させるサービスと、特定の音声及び効果音を発生させるサービスとを少なくとも含むことを特徴とする請求項１から請求項３のいずれか記載のＰｏＣ通信システム。
【請求項５】
ＰｏＣ（Ｐｕｓｈ  ｔｏ  Ｔａｌｋ  ｏｖｅｒ  Ｃｅｌｌｕｌｅｒ）サーバにアクセスすることで、他のＰｏＣ端末を呼び出してＰｏＣ通信を開始するＰｏＣ端末であって、
自端末のボタン操作に応じたＤＴＭＦ（Ｄｉａｌ  Ｔｏｎｅ  Ｍｕｌｔｉ  Ｆｒｅｑｕｅｎｃｙ）信号を送信する手段と、
前記ＰｏＣサーバがそのＤＴＭＦ信号の情報を基に予め蓄積する付加サービスを動作させ、その付加サービスを動作させた結果を受信する手段とを有することを特徴とするＰｏＣ端末。
【請求項６】
前記ＰｏＣサーバから、少なくともメニュー選択の情報を含む前記付加サービスに必要な情報及び制御信号を受信することを特徴とする請求項５記載のＰｏＣ端末。
【請求項７】
前記必要な情報及び制御信号を受信した時にその受信情報を画面に表示することを特徴とする請求項６記載のＰｏＣ端末。
【請求項８】
前記付加サービスは、利用者が前記ＰｏＣ通話の参加中に特定の参加者を退室させるサービスと、特定の音声及び効果音を発生させるサービスとを少なくとも含むことを特徴とする請求項５から請求項６のいずれか記載のＰｏＣ端末。
【請求項９】
ＰｏＣ（Ｐｕｓｈ  ｔｏ  Ｔａｌｋ  ｏｖｅｒ  Ｃｅｌｌｕｌｅｒ）端末からのアクセスに応答して他のＰｏＣ端末を呼び出してＰｏＣ通信を開始させるＰｏＣサーバであって、
前記ＰｏＣサーバは、前記ＰｏＣ端末のボタン操作に応じたＤＴＭＦ（Ｄｉａｌ  Ｔｏｎｅ  Ｍｕｌｔｉ  Ｆｒｅｑｕｅｎｃｙ）信号を受信した時に当該ＤＴＭＦ信号の情報を基に予め蓄積する付加サービスを動作させる手段と、前記付加サービスを動作させた結果を前記ＰｏＣ端末に送信する手段とを有することを特徴とするＰｏＣサーバ。
【請求項１０】
少なくともメニュー選択の情報を含む前記付加サービスに必要な情報及び制御信号を前記ＰｏＣ端末に送信することを特徴とする請求項９記載のＰｏＣサーバ。
【請求項１１】
前記付加サービスは、利用者が前記ＰｏＣ通話の参加中に特定の参加者を退室させるサービスと、特定の音声及び効果音を発生させるサービスとを少なくとも含むことを特徴とする請求項９または請求項１０記載のＰｏＣサーバ。
【請求項１２】
ＰｏＣ（Ｐｕｓｈ  ｔｏ  Ｔａｌｋ  ｏｖｅｒ  Ｃｅｌｌｕｌｅｒ）端末からＰｏＣサーバにアクセスし、他のＰｏＣ端末を呼び出してＰｏＣ通信を開始するＰｏＣ通信システムに用いる付加サービス利用方法であって、
前記ＰｏＣ端末が、自端末のボタン操作に応じたＤＴＭＦ（Ｄｉａｌ  Ｔｏｎｅ  Ｍｕｌｔｉ  Ｆｒｅｑｕｅｎｃｙ）信号を送信し、
前記ＰｏＣサーバが、前記ＤＴＭＦ信号を受信した時に当該ＤＴＭＦ信号の情報を基に予め蓄積する付加サービスを動作させ、前記付加サービスを動作させた結果を前記ＰｏＣ端末に送信することを特徴とする付加サービス利用方法。
【請求項１３】
前記ＰｏＣサーバが、少なくともメニュー選択の情報を含む前記付加サービスに必要な情報及び制御信号を前記ＰｏＣ端末に送信することを特徴とする請求項１２記載の付加サービス利用方法。
【請求項１４】
前記ＰｏＣ端末が、前記必要な情報及び制御信号を受信した時にその受信情報を画面に表示することを特徴とする請求項１３記載の付加サービス利用方法。
【請求項１５】
前記付加サービスが、利用者が前記ＰｏＣ通話の参加中に特定の参加者を退室させるサービスと、特定の音声及び効果音を発生させるサービスとを少なくとも含むことを特徴とする請求項１２から請求項１４のいずれか記載の付加サービス利用方法。
【発明の詳細な説明】
【技術分野】
【０００１】
本発明はＰｏＣ通信システム、ＰｏＣ端末、ＰｏＣサーバ及びそれらに用いる付加サービス利用方法に関し、特にＰｏＣ（Ｐｕｓｈ  ｔｏ  Ｔａｌｋ  ｏｖｅｒ  Ｃｅｌｌｕｌｅｒ）通信システムにおける付加サービスに関する。
【背景技術】
【０００２】
近年、電話端末においては、通話するのみならず、電話番号の通知及び非通知、音声メッセージの録音、ＰｏＣ通信等、様々な付加サービスを利用することができるようになり、それらの付加サービスが普及してきている。
【０００３】
ＰｏＣとはＩＰ（Ｉｎｔｅｒｎｅｔ  Ｐｒｏｔｏｃｏｌ）を利用したウォーキー・トーキーのようなもので、通話は一方通行となる（例えば、特許文献１参照）。また、ＰｏＣはＩＭ（Ｉｎｓｔａｎｔ  Ｍｅｓｓａｇｉｎｇ）のように、話す相手をグループ化することができ、相手の状態を見ることができる。したがって、ＰｏＣでは通話状態にある相手（一人またはグループ）を選択して通話ボタンを押すことで通話可能となる。つまり、ＰｏＣは携帯電話のトランシーバモードであり、通話先の番号をダイヤルする必要がなく、接続までの時間は短く、複数カ所と同時に通話することができる。
【０００４】
ＰｏＣにおいては、通常の通話よりも割安な料金に設定されることが多い。また、その操作手順としては、通常の電話帳とは別に用意された通話先リストを開き、相手を選択して決定し、通話ボタンを押すことで通話することとなる。その際、複数の通話先を選択しておけば、多地点通話となる。但し、現在のＰｏＣでは、通話先が同じキャリアの端末に限られているが、この分野の技術の進展に伴って、異なるキャリア間での多地点通話も考慮されつつある。
【０００５】
【特許文献１】特表２００３−５２６２７５号公報
【発明の開示】
【発明が解決しようとする課題】
【０００６】
上述した従来のＰｏＣ通信システムでは、ＰｏＣ通話の参加中、ボタン操作による切断、発言以外の付加サービスを受けることができないという制限があり、また付加サービスのシステムを実装するためのサービス起動方法はない。
【０００７】
ＰｏＣ通信システムでは、ＰｏＣ通信が開始されると、利用者のできる操作は発言権取得、切断のみであり、利用の幅が制限されている。付加サービスを利用できるようになれば、利用の幅が広がり、付加価値の高い通信を行うことができる。
【０００８】
そこで、本発明の目的は上記の問題点を解消し、利用者がＰｏＣ通話の参加中に新たな付加サービスを利用することができるＰｏＣ通信システム、ＰｏＣ端末、ＰｏＣサーバ及びそれらに用いる付加サービス利用方法を提供することにある。
【課題を解決するための手段】
【０００９】
本発明によるＰｏＣ通信システムは、ＰｏＣ（Ｐｕｓｈ  ｔｏ  Ｔａｌｋ  ｏｖｅｒ  Ｃｅｌｌｕｌｅｒ）端末からＰｏＣサーバにアクセスし、他のＰｏＣ端末を呼び出してＰｏＣ通信を開始するＰｏＣ通信システムであって、
前記ＰｏＣ端末は、自端末のボタン操作に応じたＤＴＭＦ（Ｄｉａｌ  Ｔｏｎｅ  Ｍｕｌｔｉ  Ｆｒｅｑｕｅｎｃｙ）信号を送信する手段を有し、
前記ＰｏＣサーバは、前記ＤＴＭＦ信号を受信した時に当該ＤＴＭＦ信号の情報を基に予め蓄積する付加サービスを動作させる手段と、前記付加サービスを動作させた結果を前記ＰｏＣ端末に送信する手段とを備えている。
【００１０】
本発明によるＰｏＣ端末は、ＰｏＣ（Ｐｕｓｈ  ｔｏ  Ｔａｌｋ  ｏｖｅｒ  Ｃｅｌｌｕｌｅｒ）サーバにアクセスすることで、他のＰｏＣ端末を呼び出してＰｏＣ通信を開始するＰｏＣ端末であって、
自端末のボタン操作に応じたＤＴＭＦ（Ｄｉａｌ  Ｔｏｎｅ  Ｍｕｌｔｉ  Ｆｒｅｑｕｅｎｃｙ）信号を送信する手段と、
前記ＰｏＣサーバがそのＤＴＭＦ信号の情報を基に予め蓄積する付加サービスを動作させ、その付加サービスを動作させた結果を受信する手段とを備えている。
【００１１】
本発明によるＰｏＣサーバは、ＰｏＣ（Ｐｕｓｈ  ｔｏ  Ｔａｌｋ  ｏｖｅｒ  Ｃｅｌｌｕｌｅｒ）端末からのアクセスに応答して他のＰｏＣ端末を呼び出してＰｏＣ通信を開始させるＰｏＣサーバであって、
前記ＰｏＣサーバは、前記ＰｏＣ端末のボタン操作に応じたＤＴＭＦ（Ｄｉａｌ  Ｔｏｎｅ  Ｍｕｌｔｉ  Ｆｒｅｑｕｅｎｃｙ）信号を受信した時に当該ＤＴＭＦ信号の情報を基に予め蓄積する付加サービスを動作させる手段と、前記付加サービスを動作させた結果を前記ＰｏＣ端末に送信する手段とを備えている。
【００１２】
本発明による付加サービス利用方法は、ＰｏＣ（Ｐｕｓｈ  ｔｏ  Ｔａｌｋ  ｏｖｅｒ  Ｃｅｌｌｕｌｅｒ）端末からＰｏＣサーバにアクセスし、他のＰｏＣ端末を呼び出してＰｏＣ通信を開始するＰｏＣ通信システムに用いる付加サービス利用方法であって、
前記ＰｏＣ端末が、自端末のボタン操作に応じたＤＴＭＦ（Ｄｉａｌ  Ｔｏｎｅ  Ｍｕｌｔｉ  Ｆｒｅｑｕｅｎｃｙ）信号を送信し、
前記ＰｏＣサーバが、前記ＤＴＭＦ信号を受信した時に当該ＤＴＭＦ信号の情報を基に予め蓄積する付加サービスを動作させ、前記付加サービスを動作させた結果を前記ＰｏＣ端末に送信している。
【００１３】
すなわち、本発明のＰｏＣ（Ｐｕｓｈ  ｔｏ  Ｔａｌｋ  ｏｖｅｒ  Ｃｅｌｌｕｌｅｒ）通信システムは、利用者がＰｏＣ通話中にボタン操作でＤＴＭＦ（Ｄｉａｌ  Ｔｏｎｅ  Ｍｕｌｔｉ  Ｆｒｅｑｕｅｎｃｙ）信号を送信することによって、ＰｏＣ通信の付加サービスを利用する可能としている。これによって、本発明のＰｏＣ通信システムでは、ＰｏＣ端末、ＰｏＣサーバの追加開発を極力抑えつつ、付加サービスを実装することが可能となる。
【００１４】
本発明のＰｏＣ通信システムでは、ＰｏＣ通信中に、ＰｏＣ端末に、ボタン操作によってＤＴＭＦ信号を送信する送信手段を設け、ＰｏＣサーバに、ボタン操作によるＤＴＭＦ信号の情報を受信する受信手段と、ボタン操作によるＤＴＭＦ信号の情報を基に付加サービスを動作させる手段と、付加サービスを動作させた結果をＰｏＣ端末に送信する送信手段とを設けている。
【００１５】
これによって、本発明のＰｏＣ通信システムでは、利用者がＰｏＣ通話の参加中に、特定の参加者を退室させるサービスや特定の音声や効果音を発生させるサービス等の新たな付加サービスを利用することが可能となる。
【発明の効果】
【００１６】
本発明は、上記のような構成及び動作とすることで、利用者がＰｏＣ通話の参加中に新たな付加サービスを利用することができるという効果が得られる。
【発明を実施するための最良の形態】
【００１７】
次に、本発明の実施例について図面を参照して説明する。図１は本発明の一実施例によるＰｏＣ（Ｐｕｓｈ  ｔｏ  Ｔａｌｋ  ｏｖｅｒ  Ｃｅｌｌｕｌｅｒ）通信システムの構成例を示すブロック図である。図１において、本発明の一実施例によるＰｏＣ通信システムは、ＰｏＣサーバ１と、ＰｏＣ端末２−１〜２−３と、インタネット等のネットワーク１００とから構成されている。また、ＰｏＣサーバ１は音源のデータベース１０を備えている。さらに、これらＰｏＣ端末２−１〜２−３及びＰｏＣサーバ１はプログラム制御によって動作し、ネットワーク１００を介して相互に接続されている。
【００１８】
ＰｏＣ端末２−１〜２−３はＰｏＣサーバ１にアクセスし、ＰｏＣサーバ１との間で相互にＰｏＣ通信を行う機能を備えている。例えば、ＰｏＣ端末２−１は、ネットワーク１００を介してＰｏＣサーバ１にアクセスし、ＰｏＣ端末２−２及びＰｏＣ端末２−３を呼び出し、ＰｏＣ通信を開始する。
【００１９】
また、ＰｏＣ端末２−１〜２−３は、ＰｏＣ通話中に、ボタン操作によってＰｏＣサーバ１にＤＴＭＦ（Ｄｉａｌ  Ｔｏｎｅ  Ｍｕｌｔｉ  Ｆｒｅｑｕｅｎｃｙ）信号を送信し、付加サービスを利用する機能を備えている。また、ＰｏＣ端末２−１〜２−３は、ＰｏＣサーバ１から送信された情報を基に、メニュー選択画面を表示する機能を備えている。
【００２０】
ＰｏＣサーバ１は、ＰｏＣ通信を提供する装置であり、ＰｏＣ端末２−１〜２−３からのアクセスによって、他のＰｏＣ端末を呼び出し、ＰｏＣ通信を開始させる機能を備えている。また、ＰｏＣサーバ１は、ＰｏＣ端末からのボタン操作によるＤＴＭＦ信号を受信し、それぞれに対応した付加サービスを起動する機能を備えている。
【００２１】
例えば、ＰｏＣ端末２−１から開始されたＰｏＣ端末２−１〜２−３のＰｏＣ通信中に、ＰｏＣ端末２−１からボタン操作によって、ＰｏＣ端末２−２を強制的にＰｏＣ通信から退室させるＤＴＭＦ信号を受信すると、ＰｏＣサーバ１はＰｏＣ端末２−２だけをＰｏＣ通信から退室させる機能を備えている。この時、ＰｏＣ端末２−１とＰｏＣ端末２−３とのＰｏＣ通信は継続したままである。また、ＰｏＣサーバ１は音源のデータベース１０を持っていて、サービスの起動によって音や効果音をＰｏＣ端末２−１〜２−３に送信する機能を備えている。
【００２２】
図２は本発明の一実施例によるＰｏＣサーバ及びＰｏＣ端末の構成例を示すブロック図である。図２において、ＰｏＣサーバ１はＰｏＣ通信提供手段１１と、受信手段１２と、付加サービス動作手段１３と、動作結果送信手段１４とを備えている。また、ＰｏＣ端末２はＰｏＣ通信機能２１と、送信手段２２と、ボタン操作部２３と、受信手段２４と、表示画面２５とを備えている。尚、図１に示すＰｏＣ端末２−１〜２−３は上記のＰｏＣ端末２と同様の構成となっている。
【００２３】
ＰｏＣ通信提供手段１１はＰｏＣ端末２，２−１〜２−３に対してＰｏＣ通信を提供し、ＰｏＣ端末２，２−１〜２−３からのアクセスによって他のＰｏＣ端末を呼び出し、ＰｏＣ通信を開始させる。
【００２４】
受信手段１２はＰｏＣ端末２，２−１〜２−３でのボタン操作によるＤＴＭＦ信号の情報を受信し、付加サービス動作手段１３はこのボタン操作によるＤＴＭＦ信号の情報を基にＰｏＣ端末２，２−１〜２−３に対する付加サービスを動作させる。動作結果送信手段１４は付加サービスを動作させた結果をＰｏＣ端末２，２−１〜２−３に送信する。
【００２５】
ＰｏＣ通信機能２１はＰｏＣサーバ１にアクセスし、ＰｏＣサーバ１との間で相互にＰｏＣ通信を行う。送信手段２２はＰｏＣ通話中に、ボタン操作部２３におけるボタン操作によってＰｏＣサーバ１にＤＴＭＦ信号を送信する。受信手段２４はＰｏＣサーバ１から送信された情報を受信し、その情報を基にメニュー選択画面を表示画面２５に表示する。
【００２６】
尚、上記のＰｏＣサーバ１及びＰｏＣ端末２，２−１〜２−３の各手段や各機能は、図示せぬＣＰＵ（中央処理装置）がプログラムを実行することで実現可能である。
【００２７】
図３は本発明の一実施例によるＰｏＣ通信システムの動作例を示すシーケンスチャートであり、図４は図２のボタン操作部２３のボタンの配置例を示す図であり、図５〜図７は図２の表示画面２５への表示例を示す図である。これら図１〜図７を参照して本発明の一実施例によるＰｏＣ通信システムの動作について説明する。図３に示す動作はＰｏＣ通信の参加中の参加者を強制退室させる場合の動作を示している。以下、本発明の一実施例による強制退室の動作について説明する。
【００２８】
図４において、ボタン操作部２３は数字ボタン（１〜０）ｂ１〜ｂ１０と、＊ボタンｂ１１と、＃ボタンｂ１２と、メニュー（ＭＥＮＵ）ボタンｂ１３と、ＰｏＣボタンｂ１４と、終話ボタンｂ１５とを備えている。
【００２９】
まず、利用者は、ＰｏＣ端末２−１からＰｏＣサーバ１にＰｏＣ発信して（図３のａ１）、ＰｏＣ端末２−２，２−３を呼び出す（図３のａ２，ａ３）。これによって、ＰｏＣ端末２−１とＰｏＣ端末２−２，２−３とのＰｏＣ通信が開始される（図３のａ４）。
【００３０】
次に、ＰｏＣサーバ１は、ＰｏＣ通信の参加者の情報を各ＰｏＣ端末２−１〜２−３に送信する（図３のａ５）。ＰｏＣ端末２−１は参加者の情報を受信すると、例えば、図５に示すように、ＰｏＣ通信の参加者のリストが表示され、現在の状態が「参加中」のように表示される。ＰｏＣ通信の、発言権を取得している参加者は、「発言中」と表示される（図３のａ６）。
【００３１】
ＰｏＣ通信中に、利用者はＰｏＣ端末２−１のボタン操作部２３において、「＃＋特番」（特番は数字の組み合わせ等）を押すことによって、ＤＴＭＦ信号をＰｏＣサーバ１に送信し（図３のａ７）、付加サービスの利用開始を通知する。ＰｏＣサーバ１はＤＴＭＦ信号を受信すると、付加サービスを起動させる（図３のａ８）。
【００３２】
次に、ＰｏＣサーバ１は、利用できる付加サービス情報をＰｏＣ端末２−１に送信する（図３のａ９）。ＰｏＣ端末２−１は利用できる付加サービス情報を受信すると、図６に示すように、利用できる付加サービスの一覧を表示する（図３のａ１０）。
【００３３】
例えば、特定の参加者をＰｏＣ通信より強制退室させたい場合には、「１」の数字ボタンｂ１を押すと（図４、図６参照）、ＰｏＣ端末２−１は数字ボタンｂ１に対応したＤＴＭＦ信号をＰｏＣサーバ１に送信する（図３のａ１１）。ＰｏＣサーバ１は数字ボタンｂ１に対応したＤＴＭＦ信号を受信すると、選択された付加サービスプログラムを作動させる。
【００３４】
図６に示す付加サービスの一覧の中で「強制退室」が選ばれた場合、ＰｏＣサーバ１は、強制退室させることが可能な参加者の情報を、ＰｏＣ端末２−１に送信する（図３のａ１２）。ＰｏＣ端末２−１は参加者の情報を受信すると、図７に示すように、強制退室させることが可能なメンバの一覧を表示する（図３のａ１３）。
【００３５】
次に、利用者が図７に示す画面を見て、強制退室させる参加者を選び、対応する番号のボタンを押すと（図４、図７参照）、ＰｏＣ端末２−１は、選んだボタンに対応したＤＴＭＦ信号をＰｏＣサーバ１に送信する（図３のａ１４）。ＰｏＣサーバ１は選んだボタンに対応したＤＴＭＦ信号を受信すると、選ばれた参加者を、強制的にＰｏＣ通信から退室させる（図３のａ１５）。例えば、ＰｏＣ端末２−１が図７に示す画面を見て「１」の数字ボタンｂ１を押した場合、ＰｏＣサーバ１はＰｏＣ端末２−２を強制退室させる。
【００３６】
このように、本実施例では、利用者がＰｏＣ通信中に、特定の参加者を強制退室させることができる。尚、上記の参加者の強制退室の付加サービスは一例であり、ＰｏＣ端末２，２−１〜２−３におけるボタン操作によってＤＴＭＦ信号を送信し、選択形式で起動するような付加サービスであれば、上記と同様に実装可能である。
【００３７】
図８は本発明の一実施例によるＰｏＣ通信システムの他の動作例を示すシーケンスチャートであり、図９は図２の表示画面２５への表示例を示す図である。これら図１と図２と図４〜図６と図８と図９とを参照して本発明の一実施例によるＰｏＣ通信システムの動作について説明する。図８に示す動作はＰｏＣ通信の参加中の参加者に対して音声を送信する場合の動作を示している。以下、本発明の一実施例による音声送信の動作について説明する。
【００３８】
この動作例では、利用者がＰｏＣ端末２−１を用いてＰｏＣ通信をしている時に、ボタン操作によってＤＴＭＦ信号を送信し、ＰｏＣサーバ１の付加サービスを起動した後、サービスの選択メニューで音声送信のサービスを選択している点が上記の動作例とは異なる。
【００３９】
利用者が、ＰｏＣ端末２−１を用いて、ＰｏＣ端末２−２及びＰｏＣ端末２−３とのＰｏＣ通信を開始し、図５に示すような参加者の一覧を表示するまでの動作は、上記の動作例と同様である（図８のｃ１）。
【００４０】
利用者はＰｏＣ端末２−１のＰｏＣボタンｂ１４（図４参照）を押すことによって、信号をＰｏＣサーバ１に送信し、ＰｏＣ通信の発言権を取得しようとする（図８のｃ２）。ＰｏＣ端末２−１が発言権の取得に成功すると、ＰｏＣサーバ１はＰｏＣ端末２−１が発言権を持っているという情報を、ＰｏＣ端末２−１〜２−３に送信する（図８のｃ３，ｃ５，ｃ７）。上記の情報をＰｏＣ端末２−１〜２−３各々が受信すると、それぞれ図５に示すような画面を表示する（図８のｃ４，ｃ６，ｃ８）。
【００４１】
次に、利用者がＰｏＣ端末２−１を用いてＰｏＣサーバ１の付加サービスを起動させて、メニュー画面（図６参照）を表示するまでの動作（図８のｃ９〜ｃ１２）は、上記の動作例と同様である。例えば、利用者が図６に示すメニュー画面で、「音声送信」を選び、ボタンｂ２を押すと、ＰｏＣ端末２−１は、押されたボタンのＤＴＭＦ信号をＰｏＣサーバ１に送信する（図８のｃ１３）。
【００４２】
ＰｏＣサーバ１はボタンｂ２の信号を受信すると、送信できる音声の情報（音声一覧）をＰｏＣ端末２−１に送信する（図８のｃ１４）。この音声の情報をＰｏＣ端末２−１が受信すると、図９に示すような音声一覧（送信できる音声の一覧）を画面に表示する（図８のｃ１５）。利用者が、送信したい音声に対応したＰｏＣ端末２−１のボタン（図４及び図９参照）を押すと、ＰｏＣ端末２−１は押したボタンのＤＴＭＦ信号をＰｏＣサーバ１に送信する（図８のｃ１６）。
【００４３】
ＰｏＣサーバ１は押したボタンの信号を受信すると、音源のデータベース１０の対応する音声、または効果音をＰｏＣ通信としてＰｏＣ端末２−２及びＰｏＣ端末２−３に送信する（図８のｃ１７，ｃ１８）。
【００４４】
このように、本実施例では、ＰｏＣ通信で発言権を取得している時にも、ＰｏＣサーバ１が提供する付加サービスを利用することができる。
【図面の簡単な説明】
【００４５】
【図１】本発明の一実施例によるＰｏＣ通信システムの構成例を示すブロック図である。
【図２】本発明の一実施例によるＰｏＣサーバ及びＰｏＣ端末の構成例を示すブロック図である。
【図３】本発明の一実施例によるＰｏＣ通信システムの動作例を示すシーケンスチャートである。
【図４】図２のボタン操作部のボタンの配置例を示す図である。
【図５】図２の表示画面への表示例を示す図である。
【図６】図２の表示画面への表示例を示す図である。
【図７】図２の表示画面への表示例を示す図である。
【図８】本発明の一実施例によるＰｏＣ通信システムの他の動作例を示すシーケンスチャートである。
【図９】図２の表示画面への表示例を示す図である。
【符号の説明】
【００４６】
１  ＰｏＣサーバ
２−１〜２−３  ＰｏＣ端末
１０  音源のデータベース
１００  ネットワーク
１１  ＰｏＣ通信提供手段
１２  受信手段
１３  付加サービス動作手段
１４  動作結果送信手段
２１  ＰｏＣ通信機能
２２  送信手段
２３  ボタン操作部
２４  受信手段
２５  表示画面
【図１】
2008017071.tif 000003
【図２】
2008017071.tif 000004
【図３】
2008017071.tif 000005
【図４】
2008017071.tif 000006
【図５】
2008017071.tif 000007
【図６】
2008017071.tif 000008
【図７】
2008017071.tif 000009
【図８】
2008017071.tif 000010
【図９】
2008017071.tif 000011